(57)【要約】【課題】スタンドによるデザイン上の制約を緩和した表示装置を提供する。【解決手段】本技術の表示装置は、表示セルを有するパネルモジュールと、パネルモジュールを前後から挟み込む前側外装パネルおよび後側外装パネルとを備えている。この表示装置は、パネルモジュールと後側外装パネルとの間隙に配置され、表示セルを駆動する駆動回路基板およびチューナ回路基板とを備えている。この表示装置は、さらに、後側外装パネルとは別体で設けられたスタンドを備えている。スタンドは、第１スピーカを内蔵しており、パネルモジュールを据え置く際に後側外装パネルの後方下側に位置している。【選択図】図３
2015152719.tif 000002
【特許請求の範囲】
【請求項１】
表示セルを有するパネルモジュールと、
前記パネルモジュールを前後から挟み込む前側外装パネルおよび後側外装パネルと、
前記パネルモジュールと前記後側外装パネルとの間隙に配置され、前記表示セルを駆動する駆動回路基板およびチューナ回路基板と、
前記後側外装パネルとは別体で設けられると共に、前記パネルモジュールを据え置く際に前記後側外装パネルの後方下側に位置しており、スピーカボックスの内部に第１スピーカを内蔵するスタンドと
を備えた
表示装置。
【請求項２】
前記スピーカボックスと前記後側外装パネルの背面とを互いに連結する連結部をさらに備えた
請求項１に記載の表示装置。
【請求項３】
前記パネルモジュールと前記後側外装パネルとの間隙において下寄りに配置された金属板を有し、
前記連結部は、前記金属板に連結されている
請求項２に記載の表示装置。
【請求項４】
前記パネルモジュールと前記後側外装パネルとの間隙に配置された第２スピーカを更に備え、
前記第１スピーカは、低音域用のスピーカであり、
前記第２スピーカは、中高音域用のスピーカである
請求項３に記載の表示装置。
【請求項５】
前記後側外装パネルは、前記パネルモジュールを平面に据え置いた際に前記前側外装パネルと前記平面との間に空隙を生じさせるボトム構造を有する
請求項４に記載の表示装置。
【請求項６】
前記第２スピーカは、前記パネルモジュールの背面と対向する位置に配置され、
前記ボトム構造は、前記第２スピーカから発せられる音を前記前側外装パネル側に反射させる反射板を有する
請求項５に記載の表示装置。
【請求項７】
前記連結部は、前記パネルモジュールに対する相対位置が変動しないように前記金属板に固定されている
請求項３に記載の表示装置。
【請求項８】
前記連結部は、ヒンジを有し、前記ヒンジを支点として前記スピーカボックスと共に前後に回動可能に構成されている
請求項３に記載の表示装置。
【発明の詳細な説明】
【技術分野】
【０００１】
本技術は、表示装置に関する。
【背景技術】
【０００２】
近年、薄型のフラットパネルディスプレイが、世界的に普及してきている。フラットパネルディスプレイでは、表示パネルモジュールと、表示パネルモジュールを収容する外装パネル（つまり、筐体）とが設けられている。表示パネルモジュールの背面と、外装パネルとの間隙には、チューナや、スピーカ、駆動回路などの周辺装置が収容されている（例えば、特許文献１参照）。
【先行技術文献】
【特許文献】
【０００３】
【特許文献１】特開２０１３−２１８９５４号公報
【発明の概要】
【発明が解決しようとする課題】
【０００４】
フラットパネルディスプレイでは、表示パネルモジュールが非常に薄くなってきたため、重心位置が表示パネルモジュールに非常に近くなってきている。そのため、転倒を防止するために、スタンドを、外装パネルよりも前に出っ張らせることが必要となる。しかし、そのようにした場合には、スタンドがフラットパネルディスプレイにおいてデザイン上の制約になってしまう。
【０００５】
本技術はかかる問題点に鑑みてなされたものであり、その目的は、スタンドによるデザイン上の制約を緩和した表示装置を提供することにある。
【課題を解決するための手段】
【０００６】
本技術の表示装置は、表示セルを有するパネルモジュールと、パネルモジュールを前後から挟み込む前側外装パネルおよび後側外装パネルとを備えている。この表示装置は、パネルモジュールと後側外装パネルとの間隙に配置され、表示セルを駆動する駆動回路基板およびチューナ回路基板とを備えている。この表示装置は、さらに、後側外装パネルとは別体で設けられたスタンドを備えている。スタンドは、スピーカボックスの内部に第１スピーカが内蔵された構成となっており、パネルモジュールを据え置く際に後側外装パネルの後方下側に位置している。
【０００７】
本技術の表示装置では、後側外装パネルとは別体で設けられたスタンドが、パネルモジュールを据え置く際に後側外装パネルの後方下側に位置しており、さらに、スピーカボックスの内部に第１スピーカが内蔵された構成となっている。これにより、スピーカボックスが後側外装パネルと一体で設けられている場合と比べて、表示装置の重心位置が後方下寄りとなる。
【発明の効果】
【０００８】
本技術の表示装置によれば、表示装置の重心位置を後方下寄りとなるようにしたので、スタンドを前側外装パネルよりも前にせり出させなくても、転倒を防止することができる。その結果、スタンドによるデザイン上の制約を緩和することができる。本技術の効果は、ここに記載された効果に必ずしも限定されず、本明細書中に記載されたいずれの効果であってもよい。
【図面の簡単な説明】
【０００９】
【図１】本技術による一実施の形態に係る表示装置の斜視構成の一例を表す図である。
【図２】図１の表示装置の展開斜視構成の一例を表す図である。
【図３】図１の表示装置のＡ−Ａ線における断面構成の一例を表す図である。
【図４】図３の表示装置の一変形例を表す図である。
【図５】図３の表示装置の一変形例を表す図である。
【図６】図４の表示装置の一変形例を表す図である。
【図７】図３の表示装置の一変形例を表す図である。
【図８】図５の表示装置の一変形例を表す図である。
【図９】図７の表示装置の一変形例を表す図である。
【図１０】図８の表示装置の一変形例を表す図である。
【発明を実施するための形態】
【００１０】
以下、発明を実施するための形態について、図面を参照して詳細に説明する。なお、説明は以下の順序で行う。
１．実施の形態（表示装置）
固定式のスタンドが設けられている例（図１〜図３）
２．変形例（表示装置）
開口が前面に設けられている例（図４、図６、図８、図１０）
反射板が設けられている例（図５、図６）
ヒンジが設けられている例（図７〜図１０）
【００１１】
＜１．実施の形態＞
[構成]
図１は、本技術の一実施の形態に係る表示装置１の斜視構成の一例を表したものである。図２は、図１の表示装置１の展開斜視構成の一例を表したものである。図３は、図１の表示装置１のＡ−Ａ線における断面構成の一例を表したものである。図１〜図３において、表示装置１は、所定の場所の表面（例えば室内の床）に据え置かれている様子が例示されている。なお、図２と、図３とにおいて、後述の駆動回路基板５０、チューナ回路基板６０およびスピーカ７０の位置関係は、互いに対応していない。
【００１２】
表示装置１は、パネルモジュール１０と、パネルモジュール１０を前後から挟み込む前側外装パネル２０および後側外装パネル３０と、後側外装パネル３０とは別体で設けられたスタンド４０とを備えている。表示装置１は、さらに、パネルモジュール１０と後側外装パネル３０との間隙に配置された駆動回路基板５０およびチューナ回路基板６０と、パネルモジュール１０と後側外装パネル３０との間隙に配置された１または複数のスピーカ７０とを備えている。表示装置１は、例えば、上記以外に、デマルチプレクサや、デコーダ、映像信号処理回路、グラフィック生成回路、音声信号処理回路、音声増幅回路などを、パネルモジュール１０と後側外装パネル３０との間隙に備えていてもよい。
【００１３】
なお、パネルモジュール１０が、本技術の「パネルモジュール」の一具体例に相当する。前側外装パネル２０が、本技術の「前側外装パネル」の一具体例に相当する。後側外装パネル３０が、本技術の「後側外装パネル」の一具体例に相当する。スタンド４０が、本技術の「スタンド」の一具体例に相当する。駆動回路基板５０が、本技術の「駆動回路基板」の一具体例に相当する。チューナ回路基板６０が、本技術の「チューナ回路基板」の一具体例に相当する。スピーカ７０が、本技術の「第２スピーカ」の一具体例に相当する。
【００１４】
前側外装パネル２０は、パネルモジュール１０の前面外縁部を覆う額縁状の部材である。後側外装パネル３０は、パネルモジュール１０の後面全体を覆う板状の部材であり、駆動回路基板５０や、チューナ回路基板６０、１または複数のスピーカ７０を収容している。駆動回路基板５０は、パネルモジュール１０に含まれる後述の表示セル１２を駆動する。チューナ回路基板６０は、外部から入力されたテレビ放送信号を処理して、例えば、チャネルの選局や同調操作を行う。パネルモジュール１０と後側外装パネル３０との間に配置された周辺回路（駆動回路基板５０やチューナ回路基板６０など）は、スピーカ７０から発せられる音が表示装置１の前面に導かれる通路を妨げないように配置されている。スピーカ７０は、中高音域用のスピーカである。駆動回路基板５０、チューナ回路基板およびスピーカ７０は、パネルモジュールの背面と対向する位置に配置されている。なお、スピーカ７０は、パネルモジュールの下面（下端）と後側外装パネル３０との間の位置に配置されていてもよい。
【００１５】
前側外装パネル２０の下端は、表示装置１を据え置いている表面（以下、単に「床」と称する。）には接しておらず、前側外装パネル２０の下端と床との間には、所定の空隙Ｇが生じている。また、後側外装パネル３０の下端は、ボトム構造３０Ｂとなっている。ボトム構造３０Ｂは、表示装置１を床に据え置いた際に、床に接しており、さらに、空隙Ｇを生じさせる。ボトム構造３０Ｂは、前側外装パネル２０の下端よりも、床側に突出した構造となっており、さらに、スピーカ７０から発せられた音を前側に導く開口３０Ａを有している。開口３０Ａは、空隙Ｇと連通しており、例えば、パネルモジュール１０の下端よりも後側に設けられている。
【００１６】
パネルモジュール１０は、例えば、フロントシャーシ１１と、表示セル１２と、光学シート１３と、光源１４と、バックシャーシ１５とを有している。フロントシャーシ１１が、表示セル１２の前に配置されている。光学シート１３、光源１４およびバックシャーシ１５が、表示セル１２の背後に、表示セル１２の背面からこの順で配置されている。
【００１７】
フロントシャーシ１１は、表示セル１２の前面外縁部を覆う額縁状の金属部材である。フロントシャーシ１１は、表示セル１２が外部からの力を受けて変形するのを低減する機能を有する。フロントシャーシ１１は、必要に応じて省略される。バックシャーシ１５は、表示セル１２、光学シート１３および光源１４を収容している。バックシャーシ１５は、表示セル１２が外部からの力を受けて変形するのを低減する機能を有する。バックシャーシ１５は、さらに、光源１４を支持しており、バックライトシャーシとしても機能する。バックシャーシ１５は、例えば、パネルモジュール１０の後面全体を覆う板状の金属部材である。なお、バックシャーシ１５は、行列状に配置された格子状の金属部材であってもよい。
【００１８】
表示セル１２は、表示セル１２の背面に入射した光を変調することにより、映像光を前面から出射する。表示セル１２は、例えば、液晶セルなどの光変調セルで構成されている。表示セル１２において、前側外装パネル２０側の表面が映像表示面１０Ａとなっている。光学シート１３は、光源１４からの光の面内輝度分布を均一化するものであり、例えば、プリズムシートや、拡散シートなどを含んで構成されている。光源１４は、表示セル１２の背面に光を照射する。光源１４は、例えば、行列状に配置された複数のＬＥＤ（Light Emitting Diode）で構成されている。なお、光源１４は、並列配置された複数の冷陰極管などで構成されていてもよいし、パネルモジュール１０の端部に一例に配置された複数のＬＥＤで構成されていてもよい。光源１４が、パネルモジュール１０の端部に一例に配置された複数のＬＥＤで構成されている場合には、パネルモジュール１０は、側面から入射した光源１４からの光を表示セル１２に向けて出射する導光板を有している。なお、表示セル１２が、行列状に配置された複数の自発光型の発光素子（例えば、有機ＥＬ（Electro-Luminescence）素子）を含んで構成されている場合には、光学シート１３は、フロントシャーシ１１と表示セル１２との間に配置され、さらに、光源１４が省略される。
【００１９】
スタンド４０は、上述したように、後側外装パネル３０とは別体で設けられている。ここで、「別体」とは、後側外装パネル３０と一体になっていないことを指しており、さらに、スタンド４０の内部空間と後側外装パネル３０の内部空間とが互いに連通していないことを指している。スタンド４０は、表示パネル１（またはパネルモジュール１０）を据え置く際に後側外装パネル３０の後方下側に位置している。従って、スタンド４０は、パネルモジュール１０のスタンドとして機能する。スタンド４０は、後側外装パネル３０の背面と対向する位置に、後側外装パネル３０から後方下側に離れて配置されている。スタンド４０は、スピーカ７０から発せられる音が表示装置１の前面に導かれる通路を妨げないように配置されている。スタンド４０は、スピーカボックス４１の内部にスピーカ４２が内蔵された構成となっている。
【００２０】
スピーカ４２は、低音域用のスピーカ（ウーファー）である。低音域とは、例えば、３００Ｈｚ以下の音域を指している。従って、表示装置１は、表示装置１が受け持つ帯域を、高音と低音に２分割する２ウェイ方式のスピーカシステムを備えている。なお、スピーカ７０が、中音域用のスピーカと、高音域用のスピーカとからなる場合には、表示装置１は、表示装置１が受け持つ帯域を、高音・中音・低音に３分割する３ウェイ方式のスピーカシステムを備えていることになる。スピーカ４２は、通常、スピーカ７０よりも大型で、高重量である。
【００２１】
スピーカボックス４１は、筒の両端が閉じた形状となっており、例えば、円筒の両端が閉じた形状となっている。スタンド４０が２つのスピーカ４２を有している場合には、各スピーカ４２が、スピーカボックス４１の両端部に１つずつ、端部側を向いて配置されている。これにより、各スピーカ４２から発せられた音が、パネルモジュール１０の両脇を回り込んで前方に伝播する。なお、スピーカボックス４１は、両端が閉じた２つの筒を含んで構成されていてもよい。この場合には、各スピーカ４２が、スピーカボックス４１の各筒に１つずつ配置される。
【００２２】
表示装置１は、さらに、金属板８０と、連結部９０とを備えている。金属板８０は、パネルモジュール１０と後側外装パネル３０との間隙において下寄りに配置されている。金属板８０は、後側外装パネル３０において、パネルモジュール１０の背面側の面に貼り合わされている。金属板８０は、さらに、パネルモジュール１０の背面にも貼り合わされていてもよい。連結部９０は、スタンド４０と後側外装パネル３０の背面とを互いに連結するものである。連結部９０は、さらに、金属板８０にも連結されている。連結部９０は、例えば、板状の金属部材と、雄ネジとを有している。雄ネジによって、板状の金属部材、後側外装パネル３０および金属板８０が互いに固定されている。連結部９０は、さらに、別の雄ネジを有しており、その雄ネジによって、板状の金属部材と、スピーカボックス４１とが互いに固定されている。従って、連結部９０およびスタンド４０が、パネルモジュール１０に対する相対位置が変動しないように金属板８０に固定されている。
【００２３】
[効果]
次に、本実施の形態の表示装置１の効果について説明する。本実施の形態では、後側外装パネル３０とは別体で設けられたスタンド４０が、パネルモジュール１０を据え置く際に後側外装パネル３０の後方下側に位置している。さらに、スタンド４０が、スピーカボックス４１の内部に低音域用のスピーカ４２が内蔵された構成となっている。これにより、スピーカボックス４１が後側外装パネル３０と一体で設けられている場合と比べて、表示装置１の重心位置が後方下寄りとなるので、スタンド４０を前側外装パネル２０よりも前にせり出させなくても、転倒を防止することができる。その結果、スタンド４０によるデザイン上の制約を緩和することができる。
【００２４】
また、本実施の形態では、スタンド４０が、表示装置１の据え置き時に、スピーカ７０から発せられる音が表示装置１の前面に導かれる通路を妨げないように配置されている。これにより、スピーカ７０がパネルモジュール１０の背面と対向する位置に配置されている場合であっても、スピーカ７０から発せられる音を、表示装置１のユーザにまで伝播させることができる。
【００２５】
＜２．変形例＞
次に、上記実施の形態の表示装置１の変形例について説明する。なお、以下では、上記実施の形態の表示装置１と共通する構成要素に対しては、同一の符号が付与される。さらに、上記実施の形態の表示装置１と共通する構成要素についての説明は、適宜、省略されるものとする。
【００２６】
[変形例その１]
図４は、上記実施の形態の表示装置１の断面構成の一変形例を表したものである。上記実施の形態では、開口３０Ａがパネルモジュール１０の後方に設けられていたが、例えば、図４に示したように、表示装置１の前面に設けられていてもよい。このようにした場合には、スピーカ７０から発せられる音を効率よく前に導くことができる。なお、このようにした場合であっても、スタンド４０を前側外装パネル２０よりも前にせり出させなくても、転倒を防止することができる。従って、スタンド４０によるデザイン上の制約を緩和することができる。
【００２７】
[変形例その２]
図５は、図３の表示装置１の断面構成の一変形例を表したものである。図６は、図４の表示装置１の断面構成の一変形例を表したものである。上記実施の形態およびその変形例（変形例その１）において、ボトム構造３０Ｂが、例えば、図５、図６に示したように、スピーカ７０から発せられる音を前側外装パネル２０側に反射させる反射板７１を有していてもよい。このようにした場合には、スピーカ７０から発せられる音をより効率よく前に導くことができる。なお、このようにした場合であっても、スタンド４０を前側外装パネル２０よりも前にせり出させなくても、転倒を防止することができる。従って、スタンド４０によるデザイン上の制約を緩和することができる。
【００２８】
[変形例その３]
図７は、図３の表示装置１の断面構成の一変形例を表したものである。図８は、図５の表示装置１の断面構成の一変形例を表したものである。図９は、図７の表示装置１の断面構成の一変形例を表したものである。図１０は、図８の表示装置１の断面構成の一変形例を表したものである。上記実施の形態およびその変形例（変形例その２）において、連結部９０が、蝶番型の器具であるヒンジ９０Ａを有し、ヒンジ９０Ａを支点としてスタンド４０（またはスピーカボックス４１）と共に前後に回動可能に構成されていてもよい。このようにした場合には、表示装置１を据え置く際は、ヒンジ９０Ａを回動させて、スタンド４０（またはスピーカボックス４１）を後側外装パネル３０の後方下側に移動させ、表示装置１を低重心化させることができる。
【００２９】
また、本変形例では、スタンド４０が、表示装置１の据え置き時に、スピーカ７０から発せられる音が表示装置１の前面に導かれる通路を妨げないように配置されている。これにより、スピーカ７０がパネルモジュール１０の背面と対向する位置に配置されている場合であっても、スピーカ７０から発せられる音を、表示装置１のユーザにまで伝播させることができる。
【００３０】
また、ヒンジ９０Ａを上記とは逆方向に回動させて、例えば、図９、図１０に示したように、スタンド４０を後側外装パネル３０の下方に移動させることができる。このようにした場合には、表示装置１を壁掛けすることができる。このとき、スタンド４０が、スピーカ７０から発せられる音が表示装置１の前面に導かれる通路を妨げないように配置されている。これにより、スピーカ７０がパネルモジュール１０の背面と対向する位置に配置されている場合であっても、スピーカ７０から発せられる音を、表示装置１のユーザにまで伝播させることができる。また、スピーカボックス４１の表面が中音域や高音域の音を反射するように構成されている場合には、スタンド４０が後側外装パネル３０の下方に配置されているときに、スピーカボックス４１の上面が、スピーカ７０から発せられる音を、表示装置１の前面に反射することができる。このようにした場合には、中音域や高音域の音をより明りょうに表示装置１のユーザに伝えることができる。
【００３１】
以上、実施の形態およびその変形例を挙げて本技術を説明したが、本技術は上記実施の形態等に限定されるものではなく、種々変形が可能である。なお、本明細書中に記載された効果は、あくまで例示である。本技術の効果は、本明細書中に記載された効果に限定されるものではない。本技術が、本明細書中に記載された効果以外の効果を持っていてもよい。
【００３２】
また、例えば、本技術は以下のような構成を取ることができる。
（１）
表示セルを有するパネルモジュールと、
前記パネルモジュールを前後から挟み込む前側外装パネルおよび後側外装パネルと、
前記パネルモジュールと前記後側外装パネルとの間隙に配置され、前記表示セルを駆動する駆動回路基板およびチューナ回路基板と、
前記後側外装パネルとは別体で設けられると共に、前記パネルモジュールを据え置く際に前記後側外装パネルの後方下側に位置しており、スピーカボックスの内部に第１スピーカを内蔵するスタンドと
を備えた
表示装置。
（２）
前記スピーカボックスと前記後側外装パネルの背面とを互いに連結する連結部をさらに備えた
（１）に記載の表示装置。
（３）
前記パネルモジュールと前記後側外装パネルとの間隙において下寄りに配置された金属板を有し、
前記連結部は、前記金属板に連結されている
（２）に記載の表示装置。
（４）
前記パネルモジュールと前記後側外装パネルとの間隙に配置された第２スピーカを更に備え、
前記第１スピーカは、低音域用のスピーカであり、
前記第２スピーカは、中高音域用のスピーカである
（１）ないし（３）のいずれか１つに記載の表示装置。
（５）
前記後側外装パネルは、前記パネルモジュールを平面に据え置いた際に前記前側外装パネルと前記平面との間に空隙を生じさせるボトム構造を有する
（４）に記載の表示装置。
（６）
前記第２スピーカは、前記パネルモジュールの背面と対向する位置に配置され、
前記ボトム構造は、前記第２スピーカから発せられる音を前記前側外装パネル側に反射させる反射板を有する
（５）に記載の表示装置。
（７）
前記連結部は、前記パネルモジュールに対する相対位置が変動しないように前記金属板に固定されている
（１）ないし（６）のいずれか１つに記載の表示装置。
（８）
前記連結部は、ヒンジを有し、前記ヒンジを支点として前記スピーカボックスと共に前後に回動可能に構成されている
（１）ないし（６）のいずれか１つに記載の表示装置。
【符号の説明】
【００３３】
１…表示装置、１０…パネルモジュール、１０Ａ…映像表示面、１１…フロントシャーシ、１２…表示セル、１３…光学シート、１４…光源、１５…バックシャーシ、２０…前側外装パネル、３０…後側外装パネル、３０Ａ…開口、３０Ｂ…ボトム構造、４０…スタンド、４１…スピーカボックス、４２…スピーカ、５０…駆動回路基板、６０…チューナ回路基板、７０…スピーカ、７１…反射板、８０…金属板、９０…連結部、９０Ａ…ヒンジ、Ｇ…空隙。
【図１】
2015152719.tif 000003
【図２】
2015152719.tif 000004
【図３】
2015152719.tif 000005
【図４】
2015152719.tif 000006
【図５】
2015152719.tif 000007
【図６】
2015152719.tif 000008
【図７】
2015152719.tif 000009
【図８】
2015152719.tif 000010
【図９】
2015152719.tif 000011
【図１０】
2015152719.tif 000012